(57)【特許請求の範囲】
【請求項１】
記録中の光記録媒体から出力されるＡＴＩＰ情報から前記光記録媒体のエラー発生有無を確認するＣＲＣ信号を出力する信号処理手段と、
前記信号処理手段から出力されるＣＲＣ信号により感知されたエラー発生回数と基準値との比較結果に対応して記録中の前記光記録媒体の記録速度を変換させる速度制御手段とを含み、
前記速度制御手段は、
前記信号処理手段から出力されるＡＴＩＰ情報及びＣＲＣ信号の状態を感知する感知部と、
前記ＣＲＣ信号により感知されたエラー発生回数と基準値を比較する比較部と、
前記比較部の比較の結果、前記エラー発生回数が前記基準値より多い場合に前記光記録媒体のエラーが発生しない区間で前記光記録媒体の記録を止めて、エラーが発生した領域で記録速度を変換させた後、記録を再開する記録速度制御部と
を含むことを特徴とする記録速度変換装置。
【請求項２】
前記速度制御手段は、
前記ＣＲＣ信号をチェックしてエラー発生領域の情報を貯蔵する貯蔵部を含むことを特徴とする請求項１に記載の記録速度変換装置。
【請求項３】
前記速度制御手段は、
前記光記録媒体の記録速度制御状況をリアルタイムでモニタリングできるようにモニタリング信号を出力することを特徴とする請求項１に記載の記録速度変換装置。
【請求項４】
（ａ）記録中の光記録媒体から出力されるＡＴＩＰ情報から前記光記録媒体のエラー発生有無を確認するＣＲＣ信号をチェックする段階と、
（ｂ）前記ＣＲＣ信号のチェックにより発生したエラー回数と基準値とを比較した結果に対応して前記光記録媒体の記録を止めてエラーが発生した領域で記録速度を変換させた後、記録を再開する段階とを含み、
前記（ｂ）段階は、
（ｂ−１）前記ＣＲＣ信号により感知されたエラー発生回数と基準値とを比較する段階と、
（ｂ−２）前記比較の結果、前記エラー発生回数が前記基準値より多い場合、エラーが発生しない区間で前記光記録媒体の記録を止めて、エラーが発生した時間領域情報を貯蔵する段階と、
（ｂ−３）前記エラーが発生した時間領域に移動して記録再開を待機する段階と、
（ｂ−４）前記エラーが発生した時間領域で記録速度を変換させた後、記録を再開する段階とを含むことを特徴とする記録速度変換方法。
【請求項５】
前記光記録媒体の記録速度変換状況がリアルタイムで提供されてモニタリングできることを特徴とする請求項４に記載の記録速度変換方法。
【発明の詳細な説明】
【０００１】
【発明の属する技術分野】
本発明は、光記録媒体駆動装置及び方法に係り、より詳細には記録中にウォッブル信号のリアルタイムモニタリングを通した分析を通じて記録品質低下現象を解決するための光記録媒体の記録速度変換装置及び方法に関する。
【０００２】
【従来の技術】
持続的なＯＤＤ技術の向上は記録機器の記録速度を飛躍的に向上させている。しかし、記録機器の記録速度増加は記録品質の低下及び記録不安定という問題を引き起こし、併せて多様なメーカーで作られる数多くのメディア及び低質のメディアの出現による記録品質の低下が市場不良の相当数を占めている。このような記録品質の低下を防止するために、問題の素地がある記録環境の場合に記録速度を制限するか、強制にダウンさせる技術が登場して多数のＯＤＤ機器に採択されているのが実情である。
【０００３】
従来の記録速度を制限するか、強制にダウンさせる技術は大きく４つに分類される。
１．Ｕｎｋｎｏｗｎディスク、ディスク最大記録速度チェック及び記録Ｓｔｒａｔｅｇｙデータ比較による記録速度制限方法。
一般的にＵｎｋｎｏｗｎディスクを記録機器に挿入した時、記録機器はディスクのＡＴＩＰ（Ａｂｓｏｌｕｔｅ Ｔｉｍｅ Ｉｎ Ｐｒｅｇｒｏｏｖｅ）情報を再生する。このＡＴＩＰ情報にはディスクの製造社、最大記録速度、最適記録パワー、データ記録開始位置情報などが記録されている。この情報を基準にＵｎｋｎｏｗｎディスク及び最大記録速度を支援できないディスク及び記録Ｓｔｒａｔｅｇｙデータベースの比較後、記録品質が劣るディスクに対して最大記録速度を制限できる。
【０００４】
２．ＯＰＣ後に記録パワーマージン不足ディスクに対する記録速度制限方法。
一般的に、記録機器は記録前にＰＣＡ（Ｐｏｗｅｒ Ｃａｌｉｂｒａｔｉｏｎ Ａｒｅａ）領域でＯＰＣ（Ｏｐｔｉｍｕｍ Ｐｏｗｅｒ Ｃｏｎｔｒｏｌ）を行う。この結果に基づいて実際記録動作の記録パワーを決定する。この時、βまたはγ測定値に基づいて記録パワーの上限マージンが足りない場合に最大記録速度を制限する。特にＣＤ−Ｒの場合、Ｒ−ＯＰＣ（Ｒｕｎｎｉｎｇ−ＯＰＣ：ＯＰＣモニタリング）機能を行うためには上限パワーマージン確保が重要であり、上限パワーマージンが足りないディスクの場合に記録速度を強制にダウンさせる。
【０００５】
３．ディスクのラジアルノイズ及び偏向成分の測定後に記録速度を制限する方法。
本方法は、記録前に実際ブランクディスクのトラッキングエラー及びフォーカスエラーの品質を測定して記録速度を設定する方式である。根本概念は、ディスクの所定区間にピックアップを移動させてディスク１回転中のトラッキング及びフォーカスレベルを検査する方式である。ＤＳＰで提供するトラッキングエラー帯域通過フィルターの特定レベル以上の信号（Ｓｈｏｃｋ信号）の数でラジアルノイズ特性を分析し、フォーカスエラーレベル偏差で偏向成分を検出して基準値以上の偏差が存在する場合に記録速度を制限する。
【０００６】
４．ＺＣＬＶ技術適用時に領域変更区間での前区間記録品質の比較後に記録速度を制限する方法。
ＺＣＬＶ（Ｚｏｎｅ Ｃｏｎｓｔａｎｔ Ｌｉｎｅａｒ Ｖｅｌｏｃｉｔｙ）は光ディスクを一定領域に分けて外周に行くほど記録速度を上昇させる技術である。ＺＣＬＶ概念の適用時に領域が変わる区間では必ず記録中止及び記録再開始の動作が発生する。この時、記録再開始前の前区間の記録特性をモニタリングして記録品質が悪ければ記録速度を増加させないか、強制にダウンさせる。
【０００７】
従来の１．〜３．の方法は実際記録動作が行われる前の確認動作を通じて記録速度を決定し、４．の方法も記録再開前に記録速度を決定する。したがって実際記録中の不安定現象に対しては能動的に対処し難く、記録途中でウォッブル信号の不安定により発生するバッファアンダーランフリー技術及びＺＣＬＶ速度変換適用区間での記録開始位置の不安定現象を解消できない。これはＯｖｅｒ Ｗｒｉｔｅ及びＳｅｅｋ Ｆａｉｌなどの記録失敗発生の原因になり、不良メディアのウォッブル特性不良による記録品質の低下を引き起こす。
【０００８】
【発明が解決しようとする課題】
本発明が解決しようとする技術的な課題は、記録中にウォッブル信号の品質を持続的にチェックして不安定要素の発生時に記録速度をダウンまたは固定させることによって記録品質の不良を最小化するための記録中の光記録媒体の記録速度変換装置を提供することにある。
【０００９】
本発明が解決しようとする他の技術的な課題は、記録中にウォッブル信号の品質を持続的にチェックして不安定要素の発生時に記録速度をダウンまたは固定させることによって記録品質の不良を最小化するための記録中の光記録媒体の記録速度変換方法を提供することにある。
【００１０】
【課題を解決するための手段】
本発明が解決しようとする技術的な課題を解決するための記録中の光記録媒体の記録速度変換装置は、記録中の光記録媒体から出力されるＡＴＩＰ情報から前記光記録媒体のエラー発生有無を確認するＣＲＣ信号を出力する信号処理手段と、前記信号処理手段から出力されるＣＲＣ信号と基準値との比較結果に対応して記録中の前記光記録媒体の記録速度を変換させる速度制御手段とを含むことが望ましい。
【００１１】
本発明において、前記速度制御手段は、前記信号処理手段から出力されるＡＴＩＰ情報及びＣＲＣ信号の状態を感知する感知部と、前記ＣＲＣ信号により感知されたエラー発生回数と基準値を比較する比較部と、前記比較部の比較結果、前記エラー発生回数が前記基準値より多いの場合に前記光記録媒体の記録を止めてエラーが発生した領域で記録速度を変換させた後、記録を再開する記録速度制御部とを含むことを特徴とする。
【００１２】
本発明において、前記速度制御手段は、前記ＣＲＣ信号をチェックしてエラー発生領域の情報を貯蔵する貯蔵部を含むことを特徴とする。
本発明において、前記記録速度制御部で、記録を中止する前記光記録媒体の領域は前記ＣＲＣ信号をチェックしてエラーが発生しない区間であることを特徴とする。
本発明において、前記速度制御手段は、前記光記録媒体の記録速度制御状況をリアルタイムでモニタリングできるようにモニタリング信号を出力することを特徴とする。
【００１３】
本発明が解決しようとする他の技術的な課題を解決するための記録中の光記録媒体の記録速度変換方法は、（ａ）記録中の光記録媒体から出力されるＡＴＩＰ情報から前記光記録媒体のエラー発生有無を確認するＣＲＣ信号をチェックする段階と、（ｂ）前記ＣＲＣチェックにより発生したエラー回数と基準値とを比較した結果に対応して前記光記録媒体の記録を止めてエラーが発生した領域で記録速度を変換させた後、記録を再開する段階とを含むことが望ましい。
【００１４】
本発明において、前記（ｂ）段階は、（ｂ−１）前記ＣＲＣ信号により感知されたエラー発生回数と基準値とを比較する段階と、（ｂ−２）前記比較結果、前記エラー発生回数が前記基準値より多い場合、前記光記録媒体の記録を止めてエラーが発生した時間領域情報を貯蔵する段階と、（ｂ−３）前記エラーが発生した時間領域に移動して記録再開を待機する段階と、（ｂ−４）前記エラーが発生した時間領域で記録速度を変換させた後、記録を再開する段階とを含むことを特徴とする。
【００１５】
本発明において、前記（ｂ−２）段階で、記録が中止される前記光記録媒体の領域は前記ＣＲＣ信号をチェックしてエラーが発生しない区間であることを特徴とする。
本発明において、前記光記録媒体の記録速度変換状況がリアルタイムで提供されてモニタリングできることを特徴とする。
【００１６】
【発明の実施の形態】
以下、添付した図面を参照して本発明を詳細に説明する。
図１は、本発明による記録中の光記録媒体の記録速度変換装置の構成を示すブロック図であって、光ディスク１００、ピックアップ１０１、ＲＦ ＩＣ１０２、ＥＮＤＥＣ１０３、制御部１０４、ＤＳＰ１０５で構成される。
図２は、図１のうち制御部１０４の詳細図であって、状態感知部１０４−１、比較部１０４−２、メモリ１０４−３、記録開始／中止制御部１０４−４、記録速度制御部１０４−５で構成される。
【００１７】
図３は、本発明による記録中の光記録媒体の記録速度変換方法の動作を示すフローチャートであって、光ディスクへのウォッブル信号解析開始段階（３００）、ＡＴＩＰ状態ＣＲＣをチェックする段階（３０１）、ＮＧ（Ｎｏ Ｇｏｏｄ：エラー発生）回数が基準値より大きいかどうかを判断する段階（３０２）、ウォッブル信号の解析を中止する段階（３０３）、記録が中止された領域の時間情報を貯蔵する段階（３０４）、記録が中止された時間情報領域をシークした後の待機段階（３０５）、記録が中止された時間情報領域で記録速度をダウンさせる段階（３０６）、ダウンされた記録速度でウォッブル信号の解析を再開する段階（３０７）、ＮＧ回数が基準値より大きいかどうかを判断する段階（３０８）、ウォッブル信号を解析し続ける段階（３０９）で構成される。
【００１８】
次いで、図１〜図３を参照して本発明を詳細に説明する。
ピックアップ１０１は、記録中の光ディスク１００からウォッブル信号を出力する。ウォッブル信号は記録可能なディスクのトラック方向に一定な周期のウォッブルによるディスクＭＳＦ（Ｍａｓｓ Ｓｔｏｒａｇｅ Ｆａｃｉｌｉｔｙ；大容量記憶装置）の再生を可能にする信号であり、１倍速基準２２．０５±１ＫＨｚのサイン波である。このウォッブル信号の解読を通じて光ディスク１００のタイムコード及び特定データの再生が可能である。
【００１９】
ピックアップ１０１から出力されるアナログウォッブル信号は、ＲＦ ＩＣ１０２を経てデジタル信号であるＡＴＩＰ信号に出力される。ＡＴＩＰ信号はデジタルウォッブル信号といえる。
ＥＮＤＥＣ（Ｅｎｃｏｄｅｒｄｅｃｏｄｅｒ）１０３はＲＦ ＩＣ１０２から出力されるＡＴＩＰ信号をエンコーディングまたはデコーディングする。特に、ＥＮＤＣＥ１０３は、ＡＴＩＰ信号のうち光ディスク１００のエラー発生有無を確認するＣＲＣ状態を内部のレジスター（図示せず）に貯蔵し、発生したエラーを補正する。
【００２０】
ＤＳＰ１０５は、制御部１０４の制御下にサーボ制御のための信号を処理する。
制御部１０４は、ＥＮＤＥＣ１０３から出力されるＡＴＩＰ信号及びレジスターからＣＲＣ状態をチェックして記録中の光ディスク１００の記録速度を変換させる速度制御手段といえる。制御部１０４は、ＥＮＤＥＣ１０３のＡＴＩＰ状態をモニタリングしてエラー発生区間をハイビットでカウントし、カウント区間のタイミング及び発生数に基づいて記録速度の変換を決定する。
【００２１】
状態感知部１０４−１は、ＥＮＤＥＣ１０３から出力されるＡＴＩＰ信号及びＣＲＣ状態をチェックする。状態感知部１０４−１は、カウンター（図示せず）を具備していてＣＲＣ状態をチェックした後、記録中の光ディスク１００のエラー発生回数をカウントする。比較部１０４−２はカウントされたエラー発生回数と基準値とを比較する。記録開始／中止制御部１０４−４は、比較部１０４−２の比較結果によって記録中の光ディスク１００の動作中止及び再開を制御する。エラーが発生して記録中の光ディスク１００の記録動作を中止しようとする場合、エラーが発生しない領域で光ディスク１００の記録動作を中止する。記録速度制御部１０４−５は、記録中の光ディスク１００の記録速度を変換させる。メモリ１０４−３は、エラーが発生して記録が中止された光ディスク１００の時間情報を貯蔵する。
【００２２】
比較部１０４−２の比較結果、光ディスク１００で発生したエラー回数が基準値より多い場合、記録開始／中止制御部１０４−４はエラーが発生した領域で記録中の光ディスク１００の動作を中止する。ここで、光ディスク１００の動作が中止されない部分はエラーが発生しない区間である。そしてエラーが発生した領域の時間情報（ＭＩＮ：ＳＥＣ：ＦＲＡＭＥ）をメモリ１０４−３に貯蔵する。記録動作を再開するためにメモリ１０４−３に貯蔵された時間情報領域をシークした後、待機する。記録速度制御部１０４−５はエラーが発生した領域での記録速度を変換させる。例えば、３０（ＭＩＮ）：２４（ＳＥＣ）：７４（ＦＲＡＭＥ）領域で３２倍速で記録中の光ディスク１００にエラーが発生したと仮定すれば、記録速度を２８倍速にダウンさせた後、記録を再開する。記録再開後にＣＲＣ状態をチェックし続けてエラーが発生しない最上の記録速度を維持する。
【００２３】
また制御部１０４は、別のポート（図示せず）を具備して光ディスク１００の記録速度制御状況をリアルタイムでモニタリングできるようにする。
制御部１０４の記録速度制御信号は、ピックアップ１０１、ＲＦ ＩＣ１０２、ＥＮＤＥＣ１０３、ＤＳＰ１０５に出力され、各ブロックは制御信号により動作を制御される。
【００２４】
図３を通じて記録速度を変換させる方法を説明すれば、光ディスク１００のウォッブル信号の解析を始める（３００段階）。
制御部１０４は、ＥＮＤＥＣ１０３からＡＴＩＰ信号及びＣＲＣ状態をチェックして光ディスク１００のエラー発生有無を感知する（３０１段階）。
制御部１０４は、光ディスク１００のＣＲＣ状態をチェックしてＮＧ回数が基準値より大きいかどうかを判断する（３０２段階）。
【００２５】
光ディスク１００のＣＲＣ状態をチェックしてＮＧ回数が基準値より大きい場合にウォッブル信号の解析を中止する（３０３段階）。
ウォッブル信号の解析を中止した後にウォッブル信号の解析が中止された領域の時間情報（ＭＩＮ：ＳＥＣ：ＦＲＡＭＥ）を貯蔵する（３０４段階）。エラーが発生して記録中の光ディスク１００の記録動作を中止しようとする場合、エラーが発生しない領域で光ディスク１００の記録動作を中止する。
【００２６】
制御部１０４は、光ディスク１００の記録が中止された時間情報領域をシークした後、Ｐａｕｓｅ、すなわち、記録動作再開のために待機する（３０５段階）。
制御部１０４は、記録が中止された時間情報領域で記録速度をダウンさせる（３０６段階）。
ダウンされた記録速度でウォッブル信号の解析を再開する（３０７段階）。
ウォッブル信号解析再開後にＮＧ回数が基準値より大きいかどうかを判断する（３０８段階）。
ウォッブル信号解析の再開後にＮＧ回数が基準値より大きい場合に３０３段階にジャンプして記録速度を変換させ続け、ウォッブル信号解析の再開後にＮＧ回数が基準値より小さな場合にダウンされた記録速度でウォッブル信号を解析する（３０９段階）。
【００２７】
例えば、３０（ＭＩＮ）：２４（ＳＥＣ）：７４（ＦＲＡＭＥ）領域で３２倍速で記録中の光ディスク１００のエラーが基準値以上に発生したと仮定すれば、３０（ＭＩＮ）：２４（ＳＥＣ）：７４（ＦＲＡＭＥ）領域以後のエラーが発生しない領域で記録を中止し、記録が中止された領域の時間情報を貯蔵する。それから、記録が中止された領域をシークして記録再開を待機していれば、記録が中止された領域で記録速度が２８倍速にダウンされた後、記録が再開される。記録再開後に引続きＣＲＣ状態をチェックしてエラーが発生しない最上の記録速度を維持する。
本発明は前述した実施例に限定されず、本発明の思想内で当業者による変形可能である。
【００２８】
【発明の効果】
前述したように本発明によれば、従来の方法が記録前に効力を発生させるのに比べて実際記録区間での信号品質を確認して問題が発生する場合、記録速度制限及び記録速度ダウン機能を行って高倍速記録機器の必須機能であるバッファアンダーランフリー及びＺＣＬＶ動作時に発生する記録開始位置不良及びシーク失敗を防止し、不良メディアが有しているウォッブル信号特性不良を検出して記録速度を変換させることによって記録品質向上を図って記録後のディスクの再生能を向上できる。
【図面の簡単な説明】
【図１】  本発明による記録中の光記録媒体の記録速度変換装置の構成を示すブロック図である。
【図２】  図１のうち制御部の詳細図である。
【図３】  本発明による記録中の光記録媒体の記録速度変換方法の動作を示すフローチャートである。
【符号の説明】
１００    光ディスク
１０１    ピックアップ
１０２    ＲＦ ＩＣ
１０３    ＥＮＤＥＣ
１０４    制御部
１０５    ＤＳＰ
１０４−１    状態感知部
１０４−２    比較部
１０４−３    メモリ
１０４−４    記録開始／中止制御部
１０４−５    記録速度制御部
【図１】
0003853299.tif 000002
【図２】
0003853299.tif 000003
【図３】
0003853299.tif 000004